(57)【要約】      （修正有）【課題】固定のみならず、固定の解除も良好な固定方法を提供する。【解決手段】固定方法は、対象物１０を固定する固定方法であって、ベース１Ａと、このベース１Ａに設けられた雌ねじ孔１Ｃと、ベース１Ａに対して直交する関係にある壁面１Ｂとを有した本体１と、貫通孔１３Ｄを有し、貫通孔１３Ｄに臨む被係止部１３ａを備えた外面当接部材１３と、貫通孔１３Ｄを通り、先端に雌ねじ孔１Ｃの雌ねじに螺合する雄ネジ部１５Ａを有し、後端に被係止部１３ａに係止する係止部１５Ｂを有した係止部材１５とを備え、貫通孔１３Ｄの中心と雌ねじ孔１Ｃの中心とがずれており、壁面１Ｂと外面当接部材１３との間に対象物１０を位置させ、係止部材１５を雌ねじ孔１Ｃに向かって前進させ、外面当接部材１３を壁面１Ｂ側に移動させ対象物１０を介して壁面１Ｂに押し付けて対象物１０を固定する。【選択図】図１
2014037049.tif 000002
【特許請求の範囲】
【請求項１】
対象物を固定する固定方法であって、
ベースと、このベースに設けられた雌ねじ孔と、前記ベースに対して直交する関係にある壁面とを有した本体と、
貫通孔を有し、前記貫通孔に臨む被係止部を備えると共に、外形が円である外面当接部材と、
前記貫通孔を通り、先端に前記雌ねじ孔の雌ねじに螺合する雄ネジ部を有し、後端に前記被係止部に係止する係止部を有した係止部材とを備え、
前記外面当接部材を前記ベースに載置し、載置した状態にあっては、平面視、前記貫通孔の中心と雌ねじ孔の中心とがずれており、
前記壁面と前記ベースに載置した前記外面当接部材との間に前記対象物を位置させ、前記雌ねじ孔の前記雌ねじに前記雄ネジ部を螺合した前記係止部材を前記雌ねじ孔に向かって前進させると共に、前記外面当接部材を前記壁面側に移動させ前記対象物を介して前記壁面に押し付けて前記対象物を固定する
ことを特徴とする固定方法。
【請求項２】
対象物を固定する固定方法であって、
ベースと、このベースに設けられた雌ねじ孔と、前記ベースに対して直交する関係に
ある壁面とを有した本体と、
貫通孔を有し、前記貫通孔に臨む被係止部を備えると共に、外形が円である外面当接部材と、
前記貫通孔を通り、先端に前記雌ねじ孔の雌ねじに螺合する雄ネジ部を有し、後端に
前記被係止部に係止する係止部を有した係止部材とを備え、
前記外面当接部材を前記ベースに載置し、載置した状態にあっては、平面視、前記貫通孔の中心と雌ねじ孔の中心とがずれており、
前記外面当接部材は、垂直方向に向かって先細りとなるテーパー部を有し、
前記垂直方向は、前記ベースの面に対する方向であり、
前記壁面と前記ベースに載置した前記外面当接部材のテーパー部との間に前記対象物を位置させ、
前記雌ねじ孔の前記雌ねじに前記雄ネジ部を螺合した前記係止部材を前記雌ねじ孔に向かって前進させると共に、前記外面当接部材を前記壁面側に移動させ前記対象物を介して前記壁面に押し付けて前記対象物を固定する
ことを特徴とする固定方法。
【請求項３】
対象物を固定する固定方法であって、
ベースと、このベースに設けられた孔と、前記ベースに対して直交する関係にある壁
面とを有した本体と、
貫通孔を有し、前記貫通孔に臨む被係止部を備えると共に、外形が円である外面当接部材と、
前記貫通孔と前記孔を通り、先端に前記被係止部に係止する係止部を有した長手方向
に長い係止部材と、
この係止部材を垂直方向へ進退させる進退手段とを備え、
前記垂直方向は、前記ベースの面に対する方向であり、
前記外面当接部材を前記ベースに載置し、載置した状態にあっては、平面視、前記貫通孔の中心と前記係止部材の中心とがずれており、
前記壁面と前記ベースに載置した前記外面当接部材との間に前記対象物を位置させ、
前記係止部材を前記ベースに向かって移動させ、前記外面当接部材を前記壁面側に移
動させ前記対象物を介して前記壁面に押し付けて前記対象物を固定する
ことを特徴とする固定方法。
【請求項４】
対象物を固定する固定方法であって、
ベースと、このベースに設けられた孔と、前記ベースに対して直交する関係にある壁
面とを有した本体と、
貫通孔を有し、前記貫通孔に臨む被係止部を備えると共に、外形が円である外面当接部材と、
前記貫通孔と前記孔を通り、先端に前記被係止部に係止する係止部を有した長手方向
に長い係止部材と、
この係止部材を垂直方向へ進退させる進退手段とを備え、
前記垂直方向は、前記ベースの面に対する方向であり、
前記外面当接部材を前記ベースに載置し、載置した状態にあっては、平面視、前記貫通孔の中心と前記係止部材の中心とがずれており、
前記外面当接部材は、前記垂直方向に向かって先細りとなるテーパー部を有し、
前記壁面と前記ベースに載置した前記外面当接部材との間に前記対象物を位置させ、
前記係止部材を前記ベースに向かって移動させ、前記外面当接部材を前記壁面側に移
動させ前記対象物を介して前記壁面に押し付けて前記対象物を固定する
ことを特徴とする固定方法。
【発明の詳細な説明】
【技術分野】
【０００１】
本発明は、固定方法に係り、特に、ガイド部材、スプリングを不要とした固定方法に
関する。
【背景技術】
【０００２】
従来、被加工物を固定する固定方法として、移動駒を使用したものがある（例えば、特許文献１の図２参照）。
【先行技術文献】
【特許文献】
【０００３】
【特許文献１】特開平８ー１１８１７６公報
【発明の概要】
【発明が解決しようとする課題】
【０００４】
ところが、上記固定方法を実施するものにあっては、平面視、矩形形状であるため、クランプ面と移動駒との間に被加工物を位置させる際、被加工物が移動駒に当接すると、そのままでは、被加工物をクランプ面と移動駒との間に位置させることができない。
そのため、特許文献１に記載のものにあっては、特許文献１の図２、図３から、明らかなように、移動駒をクランプ面から離間する方向に作用するスプリングと、矩形形状の移動駒を所定方向に移動させるガイド部材（溝）を受駒に設けねばならないという問題点が生じた。
【０００５】
本発明は、前記問題点を考慮したなされた固定方法を提供することを目的とする。
【課題を解決するための手段】
【０００６】
請求項１記載の固定方法は、対象物を固定する固定方法であって、ベースと、このベースに設けられた雌ねじ孔と、前記ベースに対して直交する関係にある壁面とを有した本体と、貫通孔を有し、前記貫通孔に臨む被係止部を備えると共に、外形が円である外面当接部材と、前記貫通孔を通り、先端に前記雌ねじ孔の雌ねじに螺合する雄ネジ部を有し、後端に前記被係止部に係止する係止部を有した係止部材とを備え、前記外面当接部材を前記ベースに載置し、載置した状態にあっては、平面視、前記貫通孔の中心と雌ねじ孔の中心とがずれており、前記壁面と前記ベースに載置した前記外面当接部材との間に前記対象物を位置させ、前記雌ねじ孔の前記雌ねじに前記雄ネジ部を螺合した前記係止部材を前記雌ねじ孔に向かって前進させると共に、前記外面当接部材を前記壁面側に移動させ前記対象物を介して前記壁面に押し付けて前記対象物を固定するものである。
【０００７】
また、請求項２記載の固定方法は、対象物を固定する固定方法であって、ベースと、このベースに設けられた雌ねじ孔と、前記ベースに対して直交する関係にある壁面とを有した本体と、貫通孔を有し、前記貫通孔に臨む被係止部を備えると共に、外形が円である外面当接部材と、前記貫通孔を通り、先端に前記雌ねじ孔の雌ねじに螺合する雄ネジ部を有し、後端に前記被係止部に係止する係止部を有した係止部材とを備え、前記外面当接部材を前記ベースに載置し、載置した状態にあっては、平面視、前記貫通孔の中心と雌ねじ孔の中心とがずれており、前記外面当接部材は、垂直方向に向かって先細りとなるテーパー部を有し、前記垂直方向は、前記ベースの面に対する方向であり、前記壁面と前記ベースに載置した前記外面当接部材のテーパー部との間に前記対象物を位置させ、前記雌ねじ孔の前記雌ねじに前記雄ネジ部を螺合した前記係止部材を前記雌ねじ孔に向かって前進させると共に、前記外面当接部材を前記壁面側に移動させ前記対象物を介して前記壁面に押し付けて前記対象物を固定するものである。
【０００８】
また、請求項３記載の固定方法は、対象物を固定する固定方法であって、ベースと、このベースに設けられた孔と、前記ベースに対して直交する関係にある壁面とを有した本体と、貫通孔を有し、前記貫通孔に臨む被係止部を備えると共に、外形が円である外面当接部材と、前記貫通孔と前記孔を通り、先端に前記被係止部に係止する係止部を有した長手方向に長い係止部材と、この係止部材を垂直方向へ進退させる進退手段とを備え、前記垂直方向は、前記ベースの面に対する方向であり、前記外面当接部材を前記ベースに載置し、載置した状態にあっては、平面視、前記貫通孔の中心と前記係止部材の中心とがずれており、前記壁面と前記ベースに載置した前記外面当接部材との間に前記対象物を位置させ、前記係止部材を前記ベースに向かって移動させ、前記外面当接部材を前記壁面側に移動させ前記対象物を介して前記壁面に押し付けて前記対象物を固定するものである。
【０００９】
また、請求項４記載の固定方法は、対象物を固定する固定方法であって、ベースと、このベースに設けられた孔と、前記ベースに対して直交する関係にある壁面とを有した本体と、貫通孔を有し、前記貫通孔に臨む被係止部を備えると共に、外形が円である外面当接部材と、前記貫通孔と前記孔を通り、先端に前記被係止部に係止する係止部を有した長手方向に長い係止部材と、この係止部材を垂直方向へ進退させる進退手段とを備え、前記垂直方向は、前記ベースの面に対する方向であり、前記外面当接部材を前記ベースに載置し、載置した状態にあっては、平面視、前記貫通孔の中心と前記係止部材の中心とがずれており、前記外面当接部材は、前記垂直方向に向かって先細りとなるテーパー部を有し、前記壁面と前記ベースに載置した前記外面当接部材との間に前記対象物を位置させ、前記係止部材を前記ベースに向かって移動させ、前記外面当接部材を前記壁面側に移動させ前記対象物を介して前記壁面に押し付けて前記対象物を固定するものである。
【発明の効果】
【００１０】
請求項１記載の固定方法によれば、壁面と外面当接部材との間に対象物を位置させる際、対象物が壁面と外面当接部材との間に進入する際、対象物が外面当接部材に当接しても、外面当接部材の外形が円であるため、ガイド部材、スプリング等を用いることなく、外面当接部材が逃げて対象物の進入を防止して、外面当接部材を壁面側に移動させ対象物を介して壁面に押し付けて対象物を固定することができる。
【００１１】
また、請求項２記載の固定方法によれば、壁面と外面当接部材との間に対象物を位置させる際、対象物が壁面と外面当接部材との間に進入する際、対象物が外面当接部材に当接しても、外面当接部材の外形が円であるため、ガイド部材、スプリング等を用いることなく、対象物に当接した外面当接部材が移動して対象物の進入を防止して、外面当接部材を壁面側に移動させ対象物を介して壁面に押し付けて対象物を固定することができ、しかも、対象物への押し付け作用が下方斜めであるため、固定をより確実にすることができる。
【００１２】
また、請求項３記載の固定方法によれば、壁面と外面当接部材との間に対象物を位置させる際、対象物が壁面と外面当接部材との間に進入する際、対象物が外面当接部材に当接しても、外面当接部材の外形が円であるため、ガイド部材、スプリング等を用いることなく、対象物に当接した外面当接部材が移動して対象物の進入を防止して、外面当接部材を壁面側に移動させ対象物を介して壁面に押し付けて対象物を固定することができる。
【００１３】
また、請求項４記載の固定方法によれば、壁面と外面当接部材との間に対象物を位置
させ、係止部材をベースに向かって移動させ、外面当接部材を壁面側に移動させ対象物を
介して壁面に押し付けて対象物を固定するため、固定のみならず、固定の解除に力を要せ
ず行うことができ、しかも、対象物への押し付け作用が下方斜めであるため、固定をより
確実にすることができ、加えて、この固定方法に必要な部材は、「ベースと、このベース
に設けられた孔と、前記ベースに対して直交する関係にある壁面とを有した本体」と、「
貫通孔を有し、前記貫通孔に臨む被係止部を備えると共に、垂直方向に向かって先細りと
なるテーパー部を設けた外面当接部材」と、「貫通孔を通り、先端に被係止部に係止する
係止部を有した長手方向に長い係止部材」と、「係止部材を垂直方向へ進退させる進退手
段」と部品点数を少なくて用を足すことができる。
【図面の簡単な説明】
【００１４】
【図１】図１は、本発明の一実施例の固定方法によって固定した状態の概略的正面図である。
【図２】図２（ａ）は、図１を分解した概略的平面図であり、図２（ｂ）は、図２（ａ）の概略的正面図である。固定前の状態の概略的断面図である。
【図３】図３は、図１の固定前の状態の概略的断面図である。
【図４】図４は、図３の固定を工具を使用して固定する状態の概略的断面図である。
【図５】図５は、図４の外面当接部材が移動した状態の概略的断面図である。
【図６】図６は、図１の固定方法と異なる他の実施例の固定方法によって固定される前の状態の概略的平面図である。
【図７】図７は、図６の概略的断面図である。
【図８】図８は、図７の固定を工具を使用して固定する状態の概略的断面図で
【図９】図９は、図６の固定方法と異なる他の実施例の固定方法によって固定される前の状態の概略的断面図である。
【図１０】図１０は、図９の固定を進退手段を動作させて固定する状態の概略的断面図である。
【発明を実施するための形態】
【００１５】
本発明の一実施例の固定方法を図面（図１乃至図１０）を参照して説明する。  
[実施例１（図１乃至図５）]
図１乃至図５に示す１は本体で、本体１は、ベース１Ａと、このベースに設けられた雌ねじ孔１Ｃと、ベース１Ａに対して直交する関係にある壁面１Ｂとを有している。
１３は外面当接部材で、外面当接部材１３は、貫通孔１３Ｄを有し、貫通孔１３Ｄに
臨む略円錐状の凹部（又は略球面状の凹部）の被係止部１３ａを備えている。
１５は係止部材で、係止部材１５は、貫通孔１３Ｄを通り、先端に雌ねじ孔１Ｃの雌
ねじに螺合する雄ネジ部１５Ａを有し、後端に被係止部１３ａに係止する略円錐状の凸部
（又は略球面状の凸部）の係止部１５Ｂを有している。そして、図２（ａ）（ｂ）に示
すように、貫通孔１３Ｄの中心を通るＲＩと雌ねじ孔１Ｃの中心を通るＲ２とは、ずれて
おり、つまり、貫通孔１３Ｄの中心と雌ねじ孔１Ｃの中心とがずれて、平面視、一致して
いない。
【００１６】
従って、図２及び図３に示すように、壁面１Ｂと外面当接部材１３との間に対象物１０を位置させる。
次に、例えば、ドライバー４０を用いて回転させて、係止部材１５を雌ねじ孔１Ｃに
向かって前進させると共に、外面当接部材１３を壁面１Ｂ側に移動させ対象物１０を介して壁面１Ｂに押し付けて対象物１０を固定する。
【００１７】
この実施例の固定方法（固定装置）によれば、壁面１Ｂと外面当接部材１３との間に
対象物１０を位置させ、係止部材１５を雌ねじ孔１Ｃに向かって前進させ、外面当接部材
１３を壁面１Ｂ側に移動させ対象物１０を介して壁面１Ｂに押し付けて対象物１０を固定
するため、固定のみならず、固定の解除に力を要せず行うことができ、
加えて、この固定方法に必要な部材は、「ベース１Ａと、このベース１Ａに設けられ
た雌ねじ孔１Ｃと、ベース１Ａに対して直交する関係にある壁面１Ｂとを有した本体１」
と、「貫通孔１３Ｄを有し、貫通孔１３Ｄに臨む略円錐状の凹部又は略球面状の凹部の被
係止部１３ａを備えた外面当接部材１３」と、「貫通孔１３Ｄを通り、先端に雌ねじ孔１
Ｃの雌ねじに螺合する雄ネジ部１５Ａを有し、後端に被係止部１３ａに係止する略円錐状
の凸部又は略球面状の凸部の係止部１５Ｂを有した係止部材１５」と、部品点数を少なく
て用を足すことができる。
なお、特に、外面当接部材１３を図５に示すように、垂直方向に向かって先細りとなるテーパー部１３Ａを有するようにして、外面当接部材１３のテーパー部１３Ａを壁面１Ｂ側に移動させ対象物１０を介して壁面１Ｂに押し付けて対象物１０を固定するのが良い。つまり、前記垂直方向は、ベース１Ａの面に対する方向であり、壁面１Ｂとベース１Ａに載置した外面当接部材１３のテーパー部１３Ａとの間に対象物１０を位置させ、雌ねじ孔１Ｃの雌ねじに雄ネジ部１５Ａを螺合した係止部材１５を雌ねじ孔１Ｃに向かって前進させると共に、外面当接部材１３を壁面１Ｂ側に移動させ対象物１０を介して壁面１Ｂに押し付けて対象物１０を固定する。この固定方法は、対象物１０への押し付け作用が下方斜めであるため、固定をより確実にすることができる。
【００１８】
[実施例２（図６乃至図８）]
次に述べる実施例（図６乃至図８）は、上述した実施例１（図１乃至図５）
を改善したもので、図１乃至図５に示す外面当接部材１３の略円錐状の凹部又は略球
面状の凹部の被係止部１３ａを、図７及び図８に示すように、貫通孔１３Ｄの開口縁
部１３ａとしたものである。
即ち、１は本体で、本体１は、ベース１Ａと、このベース１Ａに設けられた雌ねじ孔
１Ｃと、ベース１Ａに対して直交する関係にある壁面１Ｂとを有している。
１３は外面当接部材で、外面当接部材１３は、貫通孔１３Ｄを有し、貫通孔１３Ｄに
臨む被係止部１３ａを備えている。
１５は係止部材で、係止部材１５は、貫通孔１３Ｄを通り、先端に雌ねじ孔１Ｃの雌
ねじに螺合する雄ネジ部１５Ａを有し、後端に被係止部１３ａに係止する係止部１５Ｂを
有している。そして、図２（ａ）（ｂ）と同様に、図６乃至図８においても、貫通孔１３Ｄの中心を通る線と雌ねじ孔１Ｃの中心を通る線とは、ずれており、つまり、貫通孔１３Ｄの中心と雌ねじ孔１Ｃの中心とがずれて、平面視、一致していない。
【００１９】
従って、図８に示すように、壁面１Ｂと外面当接部材１３との間に対象物１０を位
置させる。
次に、例えば、ドライバー４０を用いて回転させて、係止部材１５を雌ねじ孔１Ｃに
向かって前進させ、外面当接部材１３を壁面１Ｂ側に移動させ対象物１０を介して壁面１
Ｂに押し付けて対象物１０を固定する。
【００２０】
この実施例の固定方法（固定装置）によれば、壁面１Ｂと外面当接部材１３との間に
対象物１０を位置させ、係止部材１５を雌ねじ孔１Ｃに向かって前進させると共に、外面当接部材
１３を壁面１Ｂ側に移動させ対象物１０を介して壁面１Ｂに押し付けて対象物１０を固定
するため、固定のみならず、固定の解除に力を要せず行うことができ、
加えて、この固定方法に必要な部材は、「ベース１Ａと、このベース１Ａに設けられ
た雌ねじ孔１Ｃと、ベース１Ａに対して直交する関係にある壁面１Ｂとを有した本体１」
と、「貫通孔１３Ｄを有し、貫通孔１３Ｄに臨む被係止部１３ａを備えた外面当接部材１
３」と、「貫通孔１３Ｄを通り、先端に雌ねじ孔１Ｃの雌ねじに螺合する雄ネジ部１５Ａ
を有し、後端に被係止部１３ａに係止する係止部１５Ｂを有した係止部材１５」と、部品
点数を少なくて用を足すことができる。
なお、特に、外面当接部材１３を図５に示すように、垂直方向に向かって先細りと
なるテーパー部１３Ａを有するようにしたものについても、図６乃至図８を適用する
ことができる。
つまり、図示しないが、図２に示す外面当接部材１３の略円錐状の凹部又は略球面状の凹部の被係止部１３ａを、図７の貫通孔１３Ｄの開口縁部１３ａとすると共に、図７の外面当接部材１３の外周を、図５のテーパー部１３Ａとしたものである。
【００２１】
[実施例３（図９及び図１０）]
次に述べる実施例（図９及び図１０）は、上述した実施例２（図６乃至図８）
を改善したもので、図９及び図１０に示す「貫通孔１３Ｄを通り、先端に雌ねじ孔１Ｃ
の雌ねじに螺合する雄ネジ部１５Ａを有する係止部材１５」を、「貫通孔１３Ｄとベース
１Ａに設けられた孔１Ａ３を通り、先端に被係止部１３ａに係止する係止部１５を有した
長手方向に長い係止部材１５」、「係止部材１５を垂直方向へ進退させる進退手段１００
」としたものである。
即ち、図９及び図１０に示す１は本体で、本体１は、ベース１Ａと、このベース１
Ａに設けられた孔１Ａ３と、ベース１Ａに対して直交する関係にある壁面１Ｂとを有して
いる。
１３は外面当接部材で、外面当接部材１３は、貫通孔１３Ｄを有し、貫通孔１３Ｄに
臨む被係止部１３ａを備えている。
被係止部１３ａは、例えば、図９及び図１０に示す略円錐状の凹部（又は略球面状
の凹部）である。なお、被係止部１３ａは、図７及び図８に示す貫通孔１３Ｄの開口
縁部１３ａでも良い。
１５は係止部材で、係止部材１５は、貫通孔１３Ｄと孔１Ａ３を通り、先端に被係止
部１３ａに係止する係止部１５Ｂを有した長手方向に長い部材である。
係止部１５Ｂは、例えば、図９及び図１０に示す略円錐状の凸部（又は略球面状の
凸部）である。
１００は進退手段で、進退手段１００は係止部材１５を垂直方向へ進退させるもので
、例えば、エアーシリンダー１０１の動作によりロット１０２を介して接続された係止部
材１５を進退させるようにしている。エアーシリンダー１０１は、例えば、取付部材１０
３を介してベース１Ａに取り付けられている。
そして、図２（ａ）（ｂ）と同様、貫通孔１３Ｄの中心と係止部材１５の中心とが
ずれており、つまり、貫通孔１３Ｄの中心と係止部材１５の中心とは、平面視、一致して
いない。
【００２２】
従って、図９及び図１０に示すように、壁面１Ｂと外面当接部材１３との間に対象
物１０を位置させる。
次に、例えば、進退手段１００を動作させて、係止部材１５をベース１Ａに向かって
移動させ、外面当接部材１３を壁面１Ｂ側に移動させ対象物１０を介して壁面１Ｂに押し
付けて対象物１０を固定する。
【００２３】
この実施例の固定方法（固定装置）によれば、壁面１Ｂと外面当接部材１３との間に
対象物１０を位置させ、係止部材１５をベース１Ａに向かって移動させ、外面当接部材１
３を壁面１Ｂ側に移動させ対象物１０を介して壁面１Ｂに押し付けて対象物１０を固定す
るため、固定のみならず、固定の解除に力を要せず行うことができ、加えて、この固定方
法に必要な部材は、「ベース１ａと、このベース１Ａに設けられた孔１Ａ３と、ベース１
Ａに対して直交する関係にある壁面１Ｂとを有した本体１」と、「貫通孔１３Ｄを有し、
貫通孔１３Ｄに臨む被係止部１３ａを備えた外面当接部材１３」と、「貫通孔１Ｄを通り
、先端に被係止部１３ａに係止する係止部１５Ｂを有した長手方向に長い係止部材１５」
と、「係止部材１５を垂直方向へ進退させる進退手段１００」と部品点数を少なくて用を
足すことができる。
なお、特に、外面当接部材１３を図５に示すように、垂直方向に向かって先細りとなるテーパー部１３Ａを有するようにして、外面当接部材１３のテーパー部１３Ａを壁面１Ｂ側に移動させ対象物１０を介して壁面１Ｂに押し付けて対象物１０を固定するのが良い。この固定方法は、対象物１０への押し付け作用が下方斜めであるため、固定をより確実にすることができる。
【符号の説明】
【００２４】
１      本体
１Ａ    ベース
１Ｂ    壁面
１Ｃ    雌ねじ孔
１０    対象物
１３    外面当接部材
１３ａ  被係止部
１３Ｄ  貫通孔
１５    係止部材
１５Ａ  雄ネジ部
１５Ｂ  係止部
【図１】
2014037049.tif 000003
【図２】
2014037049.tif 000004
【図３】
2014037049.tif 000005
【図４】
2014037049.tif 000006
【図５】
2014037049.tif 000007
【図６】
2014037049.tif 000008
【図７】
2014037049.tif 000009
【図８】
2014037049.tif 000010
【図９】
2014037049.tif 000011
【図１０】
2014037049.tif 000012
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
対象物を固定する固定方法であって、
ベースと、このベースに設けられた雌ねじ孔と、前記ベースに対して直交する関係に
ある壁面とを有した本体と、
貫通孔を有し、前記貫通孔に臨む被係止部を備えると共に、外形が円である外面当接
部材と、
前記貫通孔を通り、先端に前記雌ねじ孔の雌ねじに螺合する雄ネジ部を有し、後端に
前記被係止部に係止する係止部を有した係止部材とを備え、
前記外面当接部材を前記ベースに載置し、載置した状態にあっては、平面視、前記貫
通孔の中心と雌ねじ孔の中心とがずれており、
前記壁面と前記ベースに載置した前記外面当接部材との間に前記対象物を位置させ、
前記雌ねじ孔の前記雌ねじに前記雄ネジ部を螺合した前記係止部材を前記雌ねじ孔に向か
って前進させることにより、前記外面当接部材を前記壁面側に移動させ前記対象物を介し
て前記壁面に押し付けて前記対象物を固定する
ことを特徴とする固定方法。
【請求項２】
対象物を固定する固定方法であって、
ベースと、このベースに設けられた雌ねじ孔と、前記ベースに対して直交する関係に
ある壁面とを有した本体と、
貫通孔を有し、前記貫通孔に臨む被係止部を備えると共に、外形が円である外面当接
部材と、
前記貫通孔を通り、先端に前記雌ねじ孔の雌ねじに螺合する雄ネジ部を有し、後端に
前記被係止部に係止する係止部を有した係止部材とを備え、
前記外面当接部材を前記ベースに載置し、載置した状態にあっては、平面視、前記貫
通孔の中心と雌ねじ孔の中心とがずれており、
前記外面当接部材は、垂直方向に向かって先細りとなるテーパー部を有し、
前記垂直方向は、前記ベースの面に対する方向であり、
前記壁面と前記ベースに載置した前記外面当接部材のテーパー部との間に前記対象物
を位置させ、
前記雌ねじ孔の前記雌ねじに前記雄ネジ部を螺合した前記係止部材を前記雌ねじ孔に
向かって前進させることにより、前記外面当接部材を前記壁面側に移動させ前記対象物を
介して前記壁面に押し付けて前記対象物を固定する
ことを特徴とする固定方法。
【請求項３】
対象物を固定する固定方法であって、
ベースと、このベースに設けられた孔と、前記ベースに対して直交する関係にある壁
面とを有した本体と、
貫通孔を有し、前記貫通孔に臨む被係止部を備えると共に、外形が円である外面当接
部材と、
前記貫通孔と前記孔を通り、先端に前記被係止部に係止する係止部を有した長手方向
に長い係止部材と、
この係止部材を垂直方向へ進退させる進退手段とを備え、
前記垂直方向は、前記ベースの面に対する方向であり、
前記外面当接部材を前記ベースに載置し、載置した状態にあっては、平面視、前記貫
通孔の中心と前記係止部材の中心とがずれており、
前記壁面と前記ベースに載置した前記外面当接部材との間に前記対象物を位置させ、
前記係止部材を前記ベースに向かって移動させ、前記外面当接部材を前記壁面側に移
動させ前記対象物を介して前記壁面に押し付けて前記対象物を固定する
ことを特徴とする固定方法。
【請求項４】
対象物を固定する固定方法であって、
ベースと、このベースに設けられた孔と、前記ベースに対して直交する関係にある壁
面とを有した本体と、
貫通孔を有し、前記貫通孔に臨む被係止部を備えると共に、外形が円である外面当接
部材と、
前記貫通孔と前記孔を通り、先端に前記被係止部に係止する係止部を有した長手方向
に長い係止部材と、
この係止部材を垂直方向へ進退させる進退手段とを備え、
前記垂直方向は、前記ベースの面に対する方向であり、
前記外面当接部材を前記ベースに載置し、載置した状態にあっては、平面視、前記貫
通孔の中心と前記係止部材の中心とがずれており、
前記外面当接部材は、前記垂直方向に向かって先細りとなるテーパー部を有し、
前記壁面と前記ベースに載置した前記外面当接部材との間に前記対象物を位置させ、
前記係止部材を前記ベースに向かって移動させ、前記外面当接部材を前記壁面側に移
動させ前記対象物を介して前記壁面に押し付けて前記対象物を固定する
ことを特徴とする固定方法。
【手続補正２】
【補正対象書類名】明細書
【補正対象項目名】０００６
【補正方法】変更
【補正の内容】
【０００６】
請求項１記載の固定方法は、対象物を固定する固定方法であって、ベースと、このベ
ースに設けられた雌ねじ孔と、前記ベースに対して直交する関係にある壁面とを有した本
体と、貫通孔を有し、前記貫通孔に臨む被係止部を備えると共に、外形が円である外面当
接部材と、前記貫通孔を通り、先端に前記雌ねじ孔の雌ねじに螺合する雄ネジ部を有し、
後端に前記被係止部に係止する係止部を有した係止部材とを備え、前記外面当接部材を前
記ベースに載置し、載置した状態にあっては、平面視、前記貫通孔の中心と雌ねじ孔の中
心とがずれており、前記壁面と前記ベースに載置した前記外面当接部材との間に前記対象
物を位置させ、前記雌ねじ孔の前記雌ねじに前記雄ネジ部を螺合した前記係止部材を前記
雌ねじ孔に向かって前進させることにより、前記外面当接部材を前記壁面側に移動させ前
記対象物を介して前記壁面に押し付けて前記対象物を固定するものである。
【手続補正３】
【補正対象書類名】明細書
【補正対象項目名】０００７
【補正方法】変更
【補正の内容】
【０００７】
また、請求項２記載の固定方法は、対象物を固定する固定方法であって、ベースと、
このベースに設けられた雌ねじ孔と、前記ベースに対して直交する関係にある壁面とを有
した本体と、貫通孔を有し、前記貫通孔に臨む被係止部を備えると共に、外形が円である
外面当接部材と、前記貫通孔を通り、先端に前記雌ねじ孔の雌ねじに螺合する雄ネジ部を
有し、後端に前記被係止部に係止する係止部を有した係止部材とを備え、前記外面当接部
材を前記ベースに載置し、載置した状態にあっては、平面視、前記貫通孔の中心と雌ねじ
孔の中心とがずれており、前記外面当接部材は、垂直方向に向かって先細りとなるテーパ
ー部を有し、前記垂直方向は、前記ベースの面に対する方向であり、前記壁面と前記ベー
スに載置した前記外面当接部材のテーパー部との間に前記対象物を位置させ、前記雌ねじ
孔の前記雌ねじに前記雄ネジ部を螺合した前記係止部材を前記雌ねじ孔に向かって前進さ
せることにより、前記外面当接部材を前記壁面側に移動させ前記対象物を介して前記壁面
に押し付けて前記対象物を固定するものである。